(57)【要約】【課題】デジタルカメラ等の撮影装置において、撮影者が所望とする日時に所望とするメッセージ等の付与情報を表示できるようにする。【解決手段】撮影者は所望とする日付を登録する。またその日付において、画像に写し込むメッセージおよびフレームを登録する。タイマ３６により計時される日付が登録した日付となると、メッセージおよびフレームをモニタ５に表示する。【選択図】図１
2009303110.tif 000002
【特許請求の範囲】
【請求項１】
撮影により画像を取得する撮影手段と、
各種表示を行う表示手段と、
現在日時を計時する計時手段と、
所定の日付の登録を受け付ける日付登録手段と、
前記所定の日付に前記画像に写し込む付与情報を登録する付与情報登録手段とを備えたことを特徴とする撮影装置。
【請求項２】
前記計時手段により計時された日付が前記所定の日付となったときに、前記表示手段に前記付与情報を表示する表示制御手段をさらに備えたことを特徴とする請求項１記載の撮影装置。
【請求項３】
所定の被写体を登録する被写体登録手段と、
前記撮影手段が取得する画像に前記所定の被写体が含まれるか否かを判定する被写体認識手段とをさらに備え、
前記表示制御手段は、さらに前記画像に前記所定の被写体が含まれると判定された場合に、前記表示手段に前記付与情報を表示する手段であることを特徴とする請求項２記載の撮影装置。
【請求項４】
前記表示制御手段は、撮影により取得した１つの画像について、前記付与情報が写し込まれていない第１の画像および該付与情報が写し込まれた第２の画像の双方を前記表示手段に表示する手段であることを特徴とする請求項２または３記載の撮影装置。
【請求項５】
前記表示制御手段は、前記付与情報の表示の有無を切り替え可能な手段であることを特徴とする請求項２から４のいずれか１項記載の撮影装置。
【請求項６】
前記計時手段により計時された日付が前記所定の日付となったときに、前記表示手段に警告表示を行う警告表示制御手段をさらに備えたことを特徴とする請求項１記載の撮影装置。
【請求項７】
所定の被写体を登録する被写体登録手段と、
前記撮影手段が取得する画像に前記所定の被写体が含まれるか否かを判定する被写体判定手段とをさらに備え、
前記警告表示制御手段は、さらに前記画像に前記所定の被写体が含まれると判定された場合に、前記表示手段に前記警告表示を行う手段であることを特徴とする請求項６記載の撮影装置。
【請求項８】
本撮影の指示がなされると、該本撮影の指示により取得された１つの画像について、前記付与情報が写し込まれていない第１の画像および該付与情報が写し込まれた第２の画像の双方を記録媒体に記録する記録制御手段をさらに備えたことを特徴とする請求項２から７のいずれか１項記載の撮影装置。
【請求項９】
前記記録制御手段は、前記第１の画像および前記第２の画像の双方が前記記録媒体に記録された１つの画像について、前記記録媒体からの読み出しの指示がなされると、前記第１および前記第２の画像の双方を前記記録媒体から読み出す手段であることを特徴とする請求項８記載の撮影装置。
【請求項１０】
前記記録制御手段は、前記第１の画像および前記第２の画像の双方が前記記録媒体に記録された１つの画像について、前記記録媒体からの読み出しの指示がなされると、前記第１および前記第２の画像のうちの選択された画像を前記記録媒体から読み出す手段であることを特徴とする請求項８記載の撮影装置。
【請求項１１】
本撮影の指示がなされると、前記付与情報が写し込まれていない画像と前記付与情報とを関連づけて記録媒体に記録する記録制御手段をさらに備えたことを特徴とする請求項２から７のいずれか１項記載の撮影装置。
【請求項１２】
前記記録制御手段は、前記付与情報と関連づけられた画像について、前記記録媒体からの読み出しの指示がなされると、該画像を該記録媒体から読み出し、該画像と前記付与情報とを合成して該付与情報が写し込まれた画像を生成して出力する手段であることを特徴とする請求項１１記載の撮影装置。
【請求項１３】
前記記録制御手段は、前記付与情報が写し込まれた画像とともに、該付与情報が写し込まれていない画像を出力する手段であることを特徴とする請求項１２記載の撮影装置。
【請求項１４】
前記記録制御手段は、前記付与情報と関連づけられた画像について、前記記録媒体からの読み出しの指示がなされると、該画像を該記録媒体から読み出し、該画像と前記付与情報とを合成することにより生成された前記付与情報が写し込まれた画像、または該付与情報が写し込まれていない画像のうちの選択された画像を出力する手段であることを特徴とする請求項１１記載の撮影装置。
【請求項１５】
前記計時手段により計時された日付が前記所定の日付となったときに、音声による警告を行う音声警告手段をさらに備えたことを特徴とする請求項１から１４のいずれか１項記載の撮影装置。
【請求項１６】
撮影により画像を取得する撮影手段と、各種表示を行う表示手段と、現在日時を計時する計時手段とを備えた撮影装置の制御方法であって、
所定の日付の登録を受け付け、
前記所定の日付に前記画像に写し込む付与情報を登録することを特徴とする撮影装置の制御方法。
【請求項１７】
撮影により画像を取得する撮影手段と、各種表示を行う表示手段と、現在日時を計時する計時手段とを備えた撮影装置の制御方法をコンピュータに実行させるためのプログラムであって、
所定の日付の登録を受け付ける手順と、
前記所定の日付に前記画像に写し込む付与情報を登録する手順とを有することを特徴とするプログラム。
【発明の詳細な説明】
【技術分野】
【０００１】
本発明は、デジタルカメラ等の撮影装置および撮影装置の制御方法並びに撮影装置の制御方法をコンピュータに実行させるためのプログラムに関するものである。
【背景技術】
【０００２】
撮影により取得した画像をプリント出力する際に、メッセージおよびフレームを合成することが行われている。例えば、ＡＰＳフイルムのように磁気情報を記録可能な磁気記録部を有するフイルムに、画像に付与するメッセージおよびフレームを特定する情報を記録しておき、画像をプリントする際に、磁気記録部から読み出された情報に対応するメッセージおよびフレームと画像とを合成する装置が提案されている（特許文献１参照）。また、特定の日付を登録しておき、特定の日付となると、磁気記録部にその日付に関連するタイトル等の情報を記録したり、記録の解除を行う手法も提案されている（特許文献２参照）。また、あらかじめ登録した特定の日付となったときに、キャプションや背景をプリント出力できるようにした手法も提案されている（特許文献３参照）。
【０００３】
また、デジタルカメラにおいて、あらかじめ子供の名前と生年月日を登録し、その子供の撮影を行う際に、撮影時の子供の生年月日からの経過期間を算出し、算出した経過時間と撮影日時に応じたメッセージを表示したり、画像にメッセージを写し込んで記録したりする手法が提案されている（特許文献４参照）。
【特許文献１】特開平１１−２８８０４４号公報
【特許文献２】特開２０００−２９２２号公報
【特許文献３】特開２０００−１８４１７５号公報
【特許文献４】特開２００５−１０９５６９号公報
【発明の開示】
【発明が解決しようとする課題】
【０００４】
しかしながら、上記特許文献１〜３に記載された手法では、撮影時にメッセージおよびフレームと画像がどのように合成されるかを確認することができないため、プリントに含まれるメッセージおよびフレームが所望とするものでない場合、新たなメッセージおよびフレームを作成して画像の加工をやり直す必要がある。
【０００５】
一方、特許文献４に記載された手法は、撮影後、直ちにメッセージと画像との合成の態様を確認することができるため、特許文献１〜３に記載された手法のような問題は生じない。しかしながら、特許文献４に記載された手法は、子供の生年月日からの経過期間に応じたあらかじめカメラに登録されたメッセージが表示されるのみであり、撮影者が所望とする日時において、撮影者が所望とするようなメッセージ等を表示することができない。
【０００６】
本発明は上記事情に鑑みなされたものであり、デジタルカメラ等の撮影装置において、撮影者が所望とする日時に所望とするメッセージ等の付与情報を表示できるようにすることを目的とする。
【課題を解決するための手段】
【０００７】
本発明による撮影装置は、撮影により画像を取得する撮影手段と、
各種表示を行う表示手段と、
現在日時を計時する計時手段と、
所定の日付の登録を受け付ける日付登録手段と、
前記所定の日付に前記画像に写し込む付与情報を登録する付与情報登録手段とを備えたことを特徴とするものである。
【０００８】
画像に写し込む付与情報とは、所定の日付に応じたメッセージ、画像のフレームおよびクリップアート等を用いることができる。なお、画像に写し込む付与情報は、装置にあらかじめ保存されたものから選択して登録してもよく、撮影者が任意に装置に入力することにより登録してもよい。
【０００９】
これにより、所定の日付および所定の日付に画像の写し込む付与情報を、撮影者が所望とするように登録することができる。
【００１０】
なお、本発明による撮影装置においては、前記計時手段により計時された日付が前記所定の日付となったときに、前記表示手段に前記付与情報を表示する表示制御手段をさらに備えるものとしてもよい。
【００１１】
付与情報の表示のタイミングはどのようなタイミングであってもよく、例えば撮影装置の起動時、撮影モード時におけるスルー画像の撮影中、撮影直後の画像の確認時、および再生モード時における記録媒体に記録された画像の再生時であってもよい。
【００１２】
これにより、撮影者は撮影を行っている日時が、撮影者が登録した所定の日付であることを知ることができる。
【００１３】
また、本発明による撮影装置においては、所定の被写体を登録する被写体登録手段と、
前記撮影手段が取得する画像に前記所定の被写体が含まれるか否かを判定する被写体認識手段とをさらに備えるものとし、
前記表示制御手段を、さらに前記画像に前記所定の被写体が含まれると判定された場合に、前記表示手段に前記付与情報を表示する手段としてもよい。
【００１４】
これにより、画像に所定の被写体が含まれる場合にのみ付与情報が表示されるため、所定の被写体を含まない画像を撮影する場合に、関係のない付与情報が表示されてしまうことを防止できる。
【００１５】
また、本発明による撮影装置においては、前記表示制御手段を、撮影により取得した１つの画像について、前記付与情報が写し込まれていない第１の画像および該付与情報が写し込まれた第２の画像の双方を前記表示手段に表示する手段としてもよい。
【００１６】
「双方を表示する」とは、第１および第２の画像を同時に表示すること、および切り替え表示することの双方を含む。
【００１７】
これにより、撮影者は付与情報が写し込まれていない第１の画像および付与情報が写し込まれた第２の画像を比較することができ、不要な画像を削除することができる。
【００１８】
とくに、第１および第２の画像を同時に表示すれば比較が容易となり、第１および第２の画像を切り替え表示すれば、表示手段の表示画面を有効に使用して２つの画像を表示することができる。
【００１９】
また、本発明による撮影装置においては、前記表示制御手段を、前記付与情報の表示の有無を切り替え可能な手段としてもよい。
【００２０】
これにより、付与情報を表示させたくないシーンを撮影する際に、付与情報が表示されてしまう煩わしさを解消できる。
【００２１】
また、本発明による撮影装置においては、前記計時手段により計時された日付が前記所定の日付となったときに、前記表示手段に警告表示を行う警告表示制御手段をさらに備えるものとしてもよい。
【００２２】
警告表示とは、撮影される画像に付与情報が写し込まれることを撮影者に知らせることができるものであればどのような態様であってもよく、例えば表示手段の隅に何らかのマーク、メッセージ等を表示するようにしてもよい。
【００２３】
これにより、撮影者は撮影を行っている日時が、撮影者が登録した所定の日付であることを知ることができる。
【００２４】
また、本発明による撮影装置においては、所定の被写体を登録する被写体登録手段と、
前記撮影手段が取得する画像に前記所定の被写体が含まれるか否かを判定する被写体判定手段とをさらに備えるものとし、
前記警告表示制御手段を、さらに前記画像に前記所定の被写体が含まれると判定された場合に、前記表示手段に前記警告表示を行う手段としてもよい。
【００２５】
これにより、画像に所定の被写体が含まれる場合にのみ警告表示がなされるため、所定の被写体を含まない画像を撮影する場合に、関係のない警告表示がなされてしまうことを防止できる。
【００２６】
また、本発明による撮影装置においては、本撮影の指示がなされると、該本撮影の指示により取得された１つの画像について、前記付与情報が写し込まれていない第１の画像および該付与情報が写し込まれた第２の画像の双方を記録媒体に記録する記録制御手段をさらに備えるものとしてもよい。
【００２７】
これにより、後で画像を再生した際に、付与情報が写し込まれていない第１の画像および付与情報が写し込まれてた第２の画像を比較することができる。
【００２８】
また、本発明による撮影装置においては、前記記録制御手段を、前記第１の画像および前記第２の画像の双方が前記記録媒体に記録された１つの画像について、前記記録媒体からの読み出しの指示がなされると、前記第１および前記第２の画像の双方を前記記録媒体から読み出す手段としてもよい。
【００２９】
これにより、例えば、撮影装置から直接プリンタに画像を送信してプリント出力するような場合、付与情報が写し込まれた画像および付与情報が写し込まれていない画像の双方をプリント出力できるため、撮影者が画像を選択する手間を省くことができる。
【００３０】
また、本発明による撮影装置においては、前記記録制御手段を、前記第１の画像および前記第２の画像の双方が前記記録媒体に記録された１つの画像について、前記記録媒体からの読み出しの指示がなされると、前記第１および前記第２の画像のうちの選択された画像を前記記録媒体から読み出す手段としてもよい。
【００３１】
これにより、例えば、撮影装置から直接プリンタに画像を送信してプリント出力するような場合、付与情報が写し込まれた画像および付与情報が写し込まれていない画像のうちの撮影者が所望とする画像をプリント出力できる。
【００３２】
また、本発明による撮影装置においては、本撮影の指示がなされると、前記付与情報が写し込まれていない画像と前記付与情報とを関連づけて記録媒体に記録する記録制御手段をさらに備えるものとしてもよい。
【００３３】
画像と付与情報とを関連づけるとは、画像と付与情報とを一体不可分とすることを意味し、例えば、画像のタグに付与情報を付与すること、画像と付与情報とを同一のフォルダに保管すること、画像および付与情報に共通のファイル名を付与する等により、画像と付与情報とを関連づけることができる。
【００３４】
これにより、付与情報が写し込まれた画像および付与情報が写し込まれていない画像の双方を記録する必要がなくなるため、記録媒体の記録容量の消費を防止できる。
【００３５】
また、本発明による撮影装置においては、前記記録制御手段を、前記付与情報と関連づけられた画像について、前記記録媒体からの読み出しの指示がなされると、該画像を該記録媒体から読み出し、該画像と前記付与情報とを合成して該付与情報が写し込まれた画像を生成して出力する手段としてもよい。
【００３６】
これにより、例えば、撮影装置から直接プリンタに画像を送信してプリント出力するような場合、付与情報が写し込まれた画像をプリント出力できるため、撮影者が画像を選択する手間を省くことができる。
【００３７】
この場合、前記記録制御手段を、前記付与情報が写し込まれた画像とともに、該付与情報が写し込まれていない画像を出力する手段としてもよい。
【００３８】
これにより、例えば、撮影装置から直接プリンタに画像を送信してプリント出力するような場合、付与情報が写し込まれた画像および付与情報が写し込まれていない画像の双方をプリント出力できるため、撮影者が画像を選択する手間を省くことができる。
【００３９】
また、本発明による撮影装置においては、前記記録制御手段を、前記付与情報と関連づけられた画像について、前記記録媒体からの読み出しの指示がなされると、該画像を該記録媒体から読み出し、該画像と前記付与情報とを合成することにより生成された前記付与情報が写し込まれた画像、または該付与情報が写し込まれていない画像のうちの選択された画像を出力する手段としてもよい。
【００４０】
これにより、例えば、撮影装置から直接プリンタに画像を送信してプリント出力するような場合、付与情報が写し込まれた画像および付与情報が写し込まれていない画像のうちの撮影者が所望とする画像をプリント出力できる。
【００４１】
また、本発明による撮影装置においては、前記計時手段により計時された日付が前記所定の日付となったときに、音声による警告を行う音声警告手段をさらに備えるものとしてもよい。
【００４２】
これにより、撮影者は撮影を行っている日時が、撮影者が登録した所定の日付であることを知ることができる。
【００４３】
本発明による撮影装置の制御方法は、撮影により画像を取得する撮影手段と、各種表示を行う表示手段と、現在日時を計時する計時手段とを備えた撮影装置の制御方法であって、
所定の日付の登録を受け付け、
前記所定の日付に前記画像に写し込む付与情報を登録することを特徴とするものである。
【００４４】
なお、本発明による撮影装置の制御方法をコンピュータに実行させるためのプログラムとして提供してもよい。
【発明を実施するための最良の形態】
【００４５】
以下、図面を参照して本発明の実施形態について説明する。図１および図２は本発明の第１の実施形態による撮影装置を適用したデジタルカメラ１の外観を示す図である。図１および図２に示すように、このデジタルカメラ１の上部には、レリーズボタン２、電源ボタン３およびズームレバー４が備えられている。
【００４６】
レリーズボタン２は、２段階の押下により２種類の動作を指示できる構造となっている。例えば、自動露出調整機能（ＡＥ：Auto Exposure）、自動焦点調節機能（ＡＦ：Auto Focus）を利用した撮影では、デジタルカメラ１は、レリーズボタン２が軽く押下される第１の押下操作（半押しともいう）がなされたときに、露出調整、焦点合わせ等の撮影準備を行う。その状態で、レリーズボタン２が強く押下される第２の押下操作（全押しともいう）がなされると、デジタルカメラ１は露光を開始し、露光により得られた１画面分の画像データを記録メディアに記録する。
【００４７】
また、デジタルカメラ１の背面には、液晶等のモニタ５、撮影モード等の設定に利用されるホイールダイヤル６、メニュー／ＯＫボタン７および後各種操作ボタン８が備えられている。なお、操作ボタン８は、再生ボタン８Ａ、バックボタン８Ｂ、フォトモードボタン８Ｃおよび顔きれいナビボタン８Ｄを備える。再生ボタン８Ａは、デジタルカメラ１のモードを再生モードに切り替えるときに使用される。バックボタン８Ｂは、各種設定を行う際に入力した操作をキャンセルしたり、各種設定の操作を途中でやめたりするときに使用される。フォトモードボタン８Ｃは、撮影時において記録画素数等を設定するときに使用される。顔きれいナビボタン８Ｄは、顔の明るさなどを適切に補正するために撮影時に顔検出を行うときに使用される。
【００４８】
なお、本実施形態においては、撮影を行う撮影モード、記録メディアに記録された画像をモニタ５に再生する再生モード、記録メディアに記録された画像をプリンタに出力してプリント出力するプリントモードを設定可能とされている。ここで、本実施形態においては、メニュー／ＯＫボタン７を押下することにより、各種メニューを選択するための選択画面がモニタ５に表示される。撮影者はホイールダイヤル６を回転したり、上下左右に押下したりして所望とするメニューを選択し、メニュー／ＯＫボタン７を押下することにより、メニューの選択を確定する。そしてこの状態において、そのメニューに応じたデジタルカメラ１の設定を行うことができる。
【００４９】
次いで、デジタルカメラ１の内部構成について説明する。図３は本発明の第１の実施形態による撮影装置を適用したデジタルカメラの内部構成を示す概略ブロック図である。図３に示すように本実施形態による撮影装置を適用したデジタルカメラ１は、撮像部１０を有する。
【００５０】
撮像部１０は、フォーカスレンズおよびズームレンズからなる撮影レンズ１２を有する。撮影レンズ１２は、被写体にピントを合わせるためのフォーカスレンズ、ズーム機能を実現するためのズームレンズ等の複数の機能別レンズにより構成される。レンズ駆動部１３はステッピングモータ等小型のモータで、ＣＣＤ１８から各機能別レンズのまでの距離が目的に適った距離となるように各機能別レンズの位置を調整する。なお、レンズ駆動部１３は、ズームレバー４の操作に応じてＣＰＵ４０から指示されたズーム倍率に応じたズーム位置を算出し、算出したズーム位置に移動するように、撮影レンズ１２に含まれるズームレンズを駆動する。
【００５１】
絞り１４は、複数の絞り羽根からなる。絞り駆動部１５は、ステッピングモータ等小型のモータで、ＡＥ処理部２９から出力される絞り値データに応じて、絞りの開口サイズが目的に適ったサイズになるように絞り羽根の位置を調整する。
【００５２】
シャッタ１６はメカニカルシャッタであり、シャッタ駆動部１７によって駆動される。シャッタ駆動部１７は、レリーズボタンの押下により発生する信号と、ＡＥ処理部２９から出力されるシャッタスピードデータとに応じて、シャッタ１６の開閉の制御を行う。
【００５３】
シャッタ１６の後方には撮像素子であるＣＣＤ１８を有している。ＣＣＤ１８は、多数の受光素子を２次元的に配列した光電面を有しており、撮影レンズ１２等の光学系を通過した被写体光がこの光電面に結像し、光電変換される。光電面の前方には、各画素に光を集光するためのマイクロレンズアレイと、Ｒ，Ｇ，Ｂ各色のフィルタが規則的に配列されたカラーフィルタアレイとが配置されている。ＣＣＤ１８は、ＣＣＤ制御部１９から供給される垂直同期信号および水平同期信号に同期して、画素毎に蓄積された電荷を１ラインずつシリアルなアナログ撮影信号として出力する。なお、垂直同期信号により１画面分の電荷が出力されることとなる。各画素において電荷を蓄積する時間、すなわち露光時間は、ＣＣＤ制御部１９から与えられる電子シャッタ駆動信号によって決定される。また、ＣＣＤ１８はＣＣＤ制御部１９により、あらかじめ定められた大きさのアナログ撮像信号が得られるようにゲインが調整されている。
【００５４】
ＣＣＤ１８から読み出されたアナログ撮影信号は、アナログフロントエンド（ＡＦＥ）２０に入力される。ＡＦＥ２０は、アナログ信号のノイズを除去する相関２重サンプリング回路（ＣＤＳ）と、アナログ信号のゲインを調節するオートゲインコントローラ（ＡＧＣ）と、アナログ信号をデジタル信号に変換するＡ／Ｄコンバータ（ＡＤＣ）とからなる。このデジタル信号に変換された画像データは、画素毎にＲ，Ｇ，Ｂの濃度値を持つＣＣＤ−ＲＡＷデータである。
【００５５】
タイミングジェネレータ２１は、同期信号を発生させるものであり、このタイミング信号をシャッタ駆動部１７、ＣＣＤ制御部１９、およびＡＦＥ２０に供給することにより、レリーズボタンの操作、シャッタ１６の開閉、ＣＣＤ１８からの電荷の読み出し、およびＡＦＥ２０の処理の同期をとっている。
【００５６】
また、デジタルカメラ１は、所定の音声を出力するためのスピーカ−２２および撮影時において必要なときに発光されるフラッシュ２４を有する。
【００５７】
また、デジタルカメラ１は、ＡＦＥ２０が出力した画像データをデータバス４１を介して他の処理部に転送する画像入力コントローラ２５、および画像入力コントローラ２５から転送された画像データを一時記憶するフレームメモリ２６を備える。
【００５８】
フレームメモリ２６は、画像データに対して後述の各種処理を行う際に使用する作業用メモリであり、例えば、一定周期のバスクロック信号に同期してデータ転送を行うＳＤＲＡＭ(Synchronous Dynamic Random Access Memory)が使用される。
【００５９】
表示制御部２７は、フレームメモリ２６に格納された画像データをスルー画像としてモニタ５に表示させたり、再生モード時に記録メディア３４に保存されている画像をモニタ５に表示させたりするためのものである。なお、スルー画像は、撮影モードが選択されている間、タイミングジェネレータ２１が発生する垂直同期信号に同期して、所定時間間隔で撮像部１０により撮影される。
【００６０】
また、表示制御部２７は、後述するように登録されたメッセージおよびフレームを、スルー画像または本画像に写し込んでモニタ５に表示させる。メッセージおよびフレームの写し込みについては後述する。
【００６１】
ＡＦ処理部２８およびＡＥ処理部２９は、プレ画像に基づいて撮影条件を決定する。このプレ画像とは、レリーズボタンが半押しされることによって発生する半押し信号を検出したＣＰＵ４０がＣＣＤ１８にプレ撮影を実行させた結果、フレームメモリ２６に格納された画像データにより表される画像である。
【００６２】
ＡＦ処理部２８は、プレ画像に基づいて焦点位置を検出し、フォーカス駆動量データを出力する（ＡＦ処理）。焦点位置の検出方式としては、例えば、所望とする被写体にピントが合った状態では画像のコントラストが高くなるという特徴を利用して合焦位置を検出するパッシブ方式が考えられる。より具体的には、プレ画像を複数のＡＦ領域に分割し、各ＡＦ領域内の画像に対してハイパスフィルタによるフィルタリング処理を施して、ＡＦ領域毎にＡＦ評価値を算出し、最も評価が高い、すなわちフィルタによる出力値が最も高いＡＦ領域を焦点位置として検出する。
【００６３】
ＡＥ処理部２９は、プレ画像に基づいて被写体輝度を測定し、測定した被写体輝度に基づいて絞り値およびシャッタスピード等を決定し、絞り値データおよびシャッタスピードデータを露出設定値として出力する（ＡＥ処理）。
【００６４】
ＡＷＢ処理部３０は、撮影時のホワイトバランスを自動調整する（ＡＷＢ処理）。
【００６５】
画像処理部３１は、本画像の画像データに対して、階調補正、シャープネス補正、色補正等の画質補正処理、およびＣＣＤ−ＲＡＷデータを輝度信号であるＹデータと、青色色差信号であるＣｂデータおよび赤色色差信号であるＣｒデータとからなるＹＣデータに変換するＹＣ処理を行う。この本画像とは、レリーズボタンが全押しされることによって実行される本撮影によりＣＣＤ１８から取り込まれ、ＡＦＥ２０、画像入力コントローラ２５経由でフレームメモリ２６に格納された画像データにより表される画像である。
【００６６】
圧縮／伸長処理部３２は、画像処理部３１によって処理が行われた本画像の画像データに対して、例えば、ＪＰＥＧ等の圧縮形式で圧縮処理を行い、画像ファイルを生成する。この画像ファイルには、Ｅｘｉｆフォーマット等に基づいて、撮影日時等の付帯情報が格納されたタグが付加される。
【００６７】
メディア制御部３３は、不図示のメディアスロットルに着脱自在にセットされた記録メディア３４にアクセスして、画像ファイルの書き込みと読み込みの制御を行う。
【００６８】
内部メモリ３５は、デジタルカメラ１において設定される各種定数、およびＣＰＵ４０が実行するプログラム等を記憶する。また、後述するように撮影により取得した画像の写し込むための各種フレーム画像を表す画像データおよび各種メッセージを表すデータが記憶されている。
【００６９】
タイマー３６は、現在日時を計時する。
【００７０】
また、デジタルカメラ１は登録部３７を備える。登録部３７は、撮影者が所望とする日付、画像に写し込むメッセージ、フレームおよび撮影者が所望とする被写体の登録を行う。登録の動作については後述する。
【００７１】
また、デジタルカメラ１は顔認識部３８を備える。顔認識部３８は、後述する顔の登録時および撮影時時に、撮像部１０が取得した画像に含まれる顔を認識する。
【００７２】
まず、顔の登録時においては、顔認識部３８は、撮影者が登録を所望とする人物を撮影することにより取得した画像から顔を検出する。顔を検出する手法としては、テンプレートマッチングによる手法、顔の多数のサンプル画像を用いてマシンラーニング学習により得られた顔判別器を用いる手法等を用いることができる。なお、顔を検出する手法はこれに限定されるものではなく、例えば画像における肌色を有しかつ顔の輪郭形状を囲む矩形の領域を顔として検出する手法、顔の輪郭形状をなす領域を顔として検出する手法等、任意の手法を用いることができる。
【００７３】
次いで、顔認識部３８は、検出した顔から顔の特徴量を算出して内部メモリ３５に出力する。特徴量としては、顔の輪郭線の位置、輪郭線の形状、並びに目、鼻および口等の顔パーツの位置の情報を用いることができる。
【００７４】
一方、顔の認識時においては、顔認識部３８は、撮像部１０が取得した画像から、上記と同様に顔の検出および顔の特徴量の算出を行う。そして、内部メモリ３５を参照して、撮影により取得した画像に含まれる顔があらかじめ登録された顔であるか否かを判定する。
【００７５】
また、デジタルカメラ１は、プリンタ等の外部装置と接続するためのインターフェース（Ｉ／Ｆ）３９を有する。なお、Ｉ／Ｆ３９は有線または無線のいずれのインターフェースであってもよい。
【００７６】
ＣＰＵ４０は、レリーズボタン２、電源ボタン３、ホイールダイヤル６、メニュー／ＯＫボタン７および各種操作ボタン８およびＡＦ処理部２８等の各種処理部からの信号に応じてデジタルカメラ１の本体各部を制御する。
【００７７】
データバス４１は、各種処理部、フレームメモリ２６およびＣＰＵ４０等に接続されており、画像データおよび各種指示等のやり取りを行う。
【００７８】
次いで、本実施形態において行われる処理について説明する。図４は本実施形態において各種登録時に行われる処理を示すフローチャートである。撮影者が電源ボタン３をオンとした後に、メニュー／ＯＫボタン７を押下することによりＣＰＵ４０が処理を開始し、モニタ５にメニュー画面を表示する（ステップＳＴ１）。図５はメニュー画面を示す図である。図５に示すようにメニュー画面５０においては、日付登録、メッセージ登録、フレーム登録、被写体登録、写し込み設定、表示設定、記録設定、出力設定およびその他のコマンドが選択可能とされている。撮影者はホイールダイヤル６を回転したり上下左右に押下したりして操作することにより、所望とするコマンドにカーソル５１を移動することができる。そして所望とするコマンドにカーソル５１を移動してメニュー／ＯＫボタン７を押下することによりそのコマンドを選択すると、ＣＰＵ４０がそのコマンドの処理を実行する。なお、図５においては日付登録が選択された状態を示している。また、写し込みとは、登録したメッセージおよびフレームを画像に写し込むことを意味する。
【００７９】
ここで、本実施形態においては、説明を簡単にするために、日付登録、メッセージ登録、フレーム登録、被写体登録、写し込み設定、表示設定、記録設定および出力設定の順で撮影者が登録および設定を行うものとして説明する。なお、登録および設定の処理は登録部３７が行う。
【００８０】
まず、日付登録が選択されると（ステップＳＴ２肯定）、登録部３７は日付登録の処理を行う（ステップＳＴ３）。まず、登録部３７は日付登録画面をモニタ５に表示する。図６は日付登録画面を示す図である。日付登録画面５２においては、撮影者はホイールダイヤル６を操作することにより、日付を変更することができ、さらにメニュー／ＯＫボタン７を押下することにより、日付の登録を確定させることができる。登録部３７は日付が確定されると、撮影者が登録した日付を内部メモリ３５に記憶し、日付登録の処理を終了する。
【００８１】
次いで、メッセージ登録が選択されると（ステップＳＴ４肯定）、登録部３７はメッセージ登録の処理を行う（ステップＳＴ５）。図７はメッセージ登録画面を示す図である。図７に示すようにメッセージ登録画面５３には、あらかじめ内部メモリ３５に記憶されたメッセージの一覧が表示される。メッセージ登録画面５３においては、撮影者はホイールダイヤル６を操作して所望とするメッセージにカーソル５４を移動し、メニュー／ＯＫボタン７を押下することにより、メッセージの登録を確定させることができる。
【００８２】
なお、撮影者がメッセージの一覧における「フリーワード」を選択すると、登録部３７はモニタ５にメッセージ入力画面を表示する。図８はメッセージ入力画面を示す図である。メッセージ入力画面５５においては、撮影者はホイールダイヤル６を操作することによりメッセージを入力することができ、さらにメニュー／ＯＫボタン７を押下することにより、入力したメッセージの登録を確定させることができる。図８においては、「クリスマス」と入力された状態を示している。登録部３７はメッセージが確定されると、撮影者が登録したメッセージを内部メモリ３５に記憶し、メッセージ登録の処理を終了する。これにより、撮影者は所望とするメッセージを登録することができる。なお、メッセージの一覧において撮影者が「登録なし」を選択すると、登録部３７はメッセージを登録しない。
【００８３】
次いで、フレーム登録が選択されると（ステップＳＴ６肯定）、登録部３７はフレーム登録の処理を行う（ステップＳＴ７）。図９はフレーム登録画面を示す図である。図９に示すようにフレーム登録画面５６には、あらかじめ内部メモリ３５に記憶されたフレームを構成する図柄の一覧が表示される。フレーム登録画面５６においては、撮影者はホイールダイヤル６を操作して所望とするメッセージにカーソル５７を移動し、メニュー／ＯＫボタン７を押下することにより、図１０に示すようにその図柄によるフレームをモニタ５に表示することができる。この状態において、バックボタン８Ｂを押下するとフレーム登録画面５６に戻る。一方、フレームを表示した状態において、さらにメニュー／ＯＫボタン７を押下することにより、フレームの登録を確定させることができる。登録部３７はフレームが確定されると、撮影者が登録したフレームを表す情報を内部メモリ３５に記憶し、フレーム登録の処理を終了する。これにより、撮影者は所望とするフレームを登録することができる。なお、図柄の一覧において撮影者が「登録なし」を選択すると、登録部３７はフレームを登録しない。
【００８４】
次いで、被写体登録が選択されると（ステップＳＴ８肯定）、登録部３７は被写体登録の処理を行う（ステップＳＴ９）。まず、登録部３７は被写体登録が選択されると、デジタルカメラ１を撮影モードに設定し、撮影者に登録する被写体を含む画像を撮影させる。そして、顔認識部３８が撮影により取得した画像から顔を検出すると、検出結果を含む被写体登録画面をモニタ５に表示する。図１１は被写体登録画面を示す図である。図１１に示すように被写体登録画面５９には、画像に含まれる顔が矩形のマーク６０により囲まれた画像が表示される。撮影者はホイールダイヤル６を操作して登録を所望とする顔を選択し、メニュー／ＯＫボタン７を押下することにより、図１２に示すように選択した顔を拡大してモニタ５に表示することができる。この状態において、バックボタン８Ｂを押下すると被写体登録画面５９に戻る。一方、拡大した顔を表示した状態において、さらにメニュー／ＯＫボタン７を押下することにより、被写体の登録を確定させることができる。登録部３７は被写体が確定されると、顔認識部３８に対して選択された顔からの特徴量算出を指示し、算出された特徴量を内部メモリ３５に記憶することにより、被写体登録の処理を終了する。
【００８５】
次いで、写し込み設定が選択されると（ステップＳＴ１０肯定）、登録部３７は写し込み設定の処理を行う（ステップＳＴ１１）。図１３は写し込みの設定画面を示す図である。図１３に示すように写し込みの設定画面６１には、登録した日付の日時に撮影される画像のすべてにメッセージおよびフレーム（以下付与情報とすることもある）を写し込む「有り」、登録した日付の日時であっても撮影される画像のすべてに付与情報を写し込まない「無し」、およびメニュー／ＯＫボタン７の押下により、付与情報の写し込みの有無を切り替える「切り替え」のコマンドが選択可能とされている。撮影者はホイールダイヤル６を操作して所望とするコマンドにカーソル６２を移動し、メニュー／ＯＫボタン７を押下することにより、写し込みの設定を確定させることができる。登録部３７は写し込みの設定が確定されると、撮影者が設定した内容を表す情報を内部メモリ３５に記憶し、写し込みの設定の処理を終了する。これにより、付与情報の写し込みの有無を所望とするように設定することができる。
【００８６】
次いで、表示設定が選択されると（ステップＳＴ１２肯定）、登録部３７は表示設定を行う（ステップＳＴ１３）。図１４は表示設定画面を示す図である。図１４に示すように表示設定画面６３には、写し込みの設定が「有り」または「切り替え」の場合に、スルー画像および撮影により取得した本画像の再生時に、付与情報が写し込まれた画像のみを表示するモード１、付与情報が写し込まれていない画像のみを付与情報が写し込まれていることを示す警告表示とともに表示するモード２、付与情報が写し込まれていない第１の画像Ｇ１および情報が写し込まれた第２の画像Ｇ２を並べて表示するモード３、および操作ボタン８の押下により情報が写し込まれていない第１の画像Ｇ１および付与情報が写し込まれた第２の画像Ｇ２を交互に表示するモード４のコマンドが選択可能とされている。撮影者はホイールダイヤル６を操作して所望とするモードにカーソル６４を移動し、メニュー／ＯＫボタン７を押下することにより、表示設定を確定させることができる。登録部３７は表示設定が確定されると、撮影者が設定した内容を表す情報を内部メモリ３５に記憶し、表示設定の処理を終了する。
【００８７】
なお、撮影者がモード１を選択した場合には、画像の表示時には、図１５に示すようにモニタ５には画像とともに登録したメッセージおよびフレームが表示される。また、撮影者がモード２を選択した場合には、図１６に示すようにモニタ５には画像とともに「キャプション」の文字からなる警告表示Ａ１が表示される。撮影者は警告表示Ａ１を見ることにより、撮影しようとする画像または撮影した画像に付与情報すなわち登録したメッセージおよびフレームが写し込まれるまたは写し込まれていることを認識することができる。また、撮影者がモード３を選択した場合には、図１７に示すようにモニタ５には、付与情報が写し込まれていない第１の画像Ｇ１および情報が写し込まれてた第２の画像Ｇ２が並んで表示される。さらに、撮影者がモード３を選択した場合には、図１８に示すようにモニタ５には、第１の画像Ｇ１および第２の画像Ｇ２が操作に応じて交互に表示される。これにより、付与情報が写し込まれた画像の表示の態様を所望とするように設定することができる。
【００８８】
次いで、記録設定が選択されると（ステップＳＴ１４肯定）、登録部３７は記録設定の処理を行う（ステップＳＴ１５）。図１９は記録設定画面を示す図である。図１９に示すように記録設定画面６５には、登録した日付の日時において撮影により取得した画像について、付与情報が写し込まれていない第１の画像Ｇ１および情報が写し込まれた第２の画像Ｇ２の２つの画像の画像ファイルＦ１，Ｆ２を記録メディア３４に記録するモード１、情報が写し込まれていない第１の画像Ｇ１の画像ファイルＦ１のタグに、登録されたメッセージおよびフレームを記録して第１の画像Ｇ１の画像ファイルＦ１のみを記録メディア３４に記録するモード２のコマンドが選択可能とされている。撮影者はホイールダイヤル６を操作して所望とするモードにカーソル６６を移動し、メニュー／ＯＫボタン７を押下することにより、記録設定を確定させることができる。登録部３７は記録設定が確定されると、撮影者が設定した内容を表す情報を内部メモリ３５に記憶し、記録設定の処理を終了する。これにより、付与情報が写し込まれた画像の記録の態様を所望とするように設定することができる。
【００８９】
次いで、出力設定が選択されると（ステップＳＴ１６肯定）、登録部３７は出力設定の処理を行う（ステップＳＴ１７）。図２０は出力設定画面を示す図である。図２０に示すように出力設定画面６５は、デジタルカメラ１とプリンタとを有線または無線により接続して、デジタルカメラ１からプリンタを操作してプリント出力する場合の画像の出力の態様を設定するためのものであり、登録した日付の日時において撮影により取得した画像について、情報が写し込まれていない第１の画像Ｇ１および情報が写し込まれてた第２の画像Ｇ２の２つの画像の画像ファイルＦ１，Ｆ２が記録メディア３４に記録されている場合、およびタグに登録されたが記述された第１の画像Ｇ１の画像ファイルＦ１のみが記録されている場合に、付与情報が写し込まれた画像Ｇ２を生成して、２つの画像Ｇ１，Ｇ２を出力するモード１、付与情報が写し込まれた第２の画像Ｇ２のみを出力するモード２、付与情報が写し込まれていない第１の画像Ｇ１のみを出力するモード３のコマンドが選択可能とされている。撮影者はホイールダイヤル６を操作して所望とするモードにカーソル６８を移動し、メニュー／ＯＫボタン７を押下することにより、出力設定を確定させることができる。登録部３７は出力設定が確定されると、撮影者が設定した内容を表す情報を内部メモリ３５に記憶し、出力設定の処理を終了する。これにより、付与情報が写し込まれた画像の出力の態様を所望とするように設定することができる。
【００９０】
そして、ＣＰＵ４０はバックボタン８Ｂが押下されて終了の指示がなされたか否かを判定し（ステップＳＴ１８）、ステップＳＴ１８が否定されるとステップＳＴ１に戻り、ステップＳＴ１以降の処理を繰り返す。ステップＳＴ１８が肯定されると登録の処理を終了する。
【００９１】
次いで、登録後の撮影時に行われる処理について説明する。図２１は登録後の撮影時に行われる処理を示すフローチャートである。撮影者が電源ボタン３をオンとすることによりＣＰＵ４０が処理を開始し、タイマー３６により計時されている日付が、内部メモリ３５に登録された日付であるか否かを判定する（ステップＳＴ２１）。ステップＳＴ２１が否定されると通常の撮影動作を行う（ステップＳＴ２２）。通常の撮影動作とは、内部メモリ３５に登録されたメッセージおよびフレームを何ら使用しない撮影動作である。
【００９２】
ステップＳＴ２１が肯定されると、ＣＰＵ４０はスピーカ−２２から音声を出力する（ステップＳＴ２３）。音声としては、ビープ音、「登録日です」等の音声を用いることができる。さらに、ＣＰＵ４０からの指示により表示制御部２７が、内部メモリ３５に登録されているメッセージおよびフレームをモニタ５に表示する（ステップＳＴ２４）。これにより、撮影者は撮影を行っている日が撮影者が事前に登録した日であることを知ることができる。
【００９３】
この状態において、撮像部１０がスルー画像を撮影し（ステップＳＴ２５）、顔認識部３８が登録した被写体がスルー画像に含まれているか否かを判定する（ステップＳＴ２６）。ステップＳＴ２６が否定されるとステップＳＴ２２に進み、通常の撮影動作を行う。なお、通常の撮影動作においては、メッセージおよびフレームはモニタ５には表示されない。これにより、登録した被写体が含まれない画像に、被写体と関係のないメッセージおよびフレームが写し込まれてしまうことを防止できる。
【００９４】
ステップＳＴ２６が肯定されると、表示制御部２７は、内部メモリ３５に登録されている写し込み設定の情報および表示設定の情報に応じて、スルー画像をモニタ５に表示する（ステップＳＴ２７）。
【００９５】
まず、写し込み設定が「有り」の場合について説明する。写し込みの設定が「有り」で表示設定がモード１の場合、表示制御部２７は、図１５と同様にメッセージおよびフレームが写し込まれたスルー画像をモニタ５に表示する。表示設定がモード２の場合、図１６と同様にメッセージおよびフレームが写し込まれていないスルー画像をモニタ５に表示する。これにより、メッセージおよびフレームを表示させたくないシーンを撮影する際に、メッセージおよびフレームが表示されてしまう煩わしさを解消できる。
【００９６】
一方、表示設定がモード３の場合、図１７と同様にメッセージおよびフレームが写し込まれていないスルー画像および写し込まれたスルー画像を並べて表示する。表示設定がモード４の場合、図１８と同様にメッセージおよびフレームが写し込まれていないスルー画像および写し込まれたスルー画像を操作ボタン８の指示に応じて交互に表示する。
【００９７】
ここで、図１７に示すように２つのスルー画像を並べて同時に表示すれば比較が容易となり、図１８に示すように２つの画像を切り替え表示すれば、モニタ５の表示画面を有効に使用して２つの画像を表示することができる。
【００９８】
一方、写し込み設定が「無し」の場合においては、表示制御部２７は、図１６と同様にメッセージおよびフレームが写し込まれていないスルー画像をモニタ５に表示する。
【００９９】
さらに、写し込み設定が「切り替え」の場合、付与情報を写し込むように切り替えがなされると、写し込み設定が「有り」の場合と同様の表示を行う。逆に付与情報を写し込まれていないように切り替えがなされると、写し込み設定が「無し」の場合と同様の表示を行う。
【０１００】
次いで、本撮影の指示がなさると（ステップＳＴ２８肯定）、本撮影を行い（ステップＳＴ２９）、これにより取得された画像データから、内部メモリ３５に登録されている記録設定の情報に応じて、圧縮／伸長処理部３２が画像ファイルを生成する（ステップＳＴ３０）。
【０１０１】
具体的には、記録設定がモード１の場合には、メッセージおよびフレームが写し込まれていない第１の画像Ｇ１の画像ファイルＦ１並びにメッセージおよびフレームが写し込まれた第２の画像Ｇ２の画像ファイルＦ２をそれぞれ生成する。この場合、２つの画像ファイルＦ１，Ｆ２は互いに関連するファイル名（例えばIMG001-1.jpg, IMG001-2.jpg等）が付与される。
【０１０２】
記録設定がモード２の場合には、メッセージおよびフレームが写し込まれていない第１の画像Ｇ１の画像ファイルＦ１のみを生成し、画像ファイルＦ１のヘッダに、メッセージおよびフレームを記録する。これにより、２つの画像ファイルＦ１，Ｆ２の双方を記録する必要がなくなるため、記録メディア３４の記録容量の消費を防止できる。
【０１０３】
そして、メディア制御部３３が記録メディア３４に生成された画像ファイルＦ１，Ｆ２を記録し（ステップＳＴ３１）、撮影の処理を終了する。
【０１０４】
次いで、上述したように取得された画像の再生時の処理について説明する。図２２は画像再生時の処理を示すフローチャートである。デジタルカメラ１が再生モードに設定され、画像の再生の指示がなされることによりＣＰＵ４０が処理を開始し、再生の指示がなされた画像の画像ファイルに関連づけられたファイル名の画像ファイルが記録メディア３４に記録されているか否かを判定する（ステップＳＴ４１）。ステップＳＴ４１が肯定されると再生が指示された画像について関連されたファイル名を有する２つの画像ファイルＦ１，Ｆ２を記録メディア３４から読み出す（ステップＳＴ４２）。
【０１０５】
ステップＳＴ４１が否定されると、再生指示がなされた画像の画像ファイル（Ｆ１またはＦ２）を記録メディア３４から読み出し（ステップＳＴ４３）、読み出した画像ファイルのタグに付与情報が記述されているか否かを判定する（ステップＳＴ４４）。ステップＳＴ４４が否定されると、再生指示がなされた画像をモニタ５に再生し（ステップＳＴ４５）、処理を終了する。この場合、読み出した画像ファイルが付与情報が写し込まれていない第１の画像Ｇ１の画像ファイルＦ１である場合には、図１６に示すように第１の画像Ｆ１のみがモニタ５に再生される。
【０１０６】
ステップＳＴ４２に続いて、およびステップＳＴ４４が肯定されると、表示制御部２７は、内部メモリ３５に登録されている表示設定の情報に応じて、画像Ｇ１，Ｇ２をモニタ５に表示し（ステップＳＴ４６）、処理を終了する。
【０１０７】
すなわち、表示設定がモード１の場合、表示制御部２７は、図１５に示すように付与情報が写し込まれた第２の画像Ｇ２をモニタ５に表示する。表示設定がモード２の場合、図１６に示すように付与情報が写し込まれていない第１の画像Ｇ１をモニタ５に表示する。表示設定がモード３の場合、図１７に示すように、付与情報が写し込まれていない第１の画像Ｇ１および付与情報が写し込まれた第２の画像Ｇ２を並べて表示する。表示設定がモード４の場合、図１８に示すように、第１および第２の画像Ｇ１，Ｇ２を操作ボタン８の操作に応じて交互に表示する。
【０１０８】
ここで、図１７に示すように２つの画像Ｇ１，Ｇ２を並べて同時に表示すれば比較が容易となり、図１８に示すように２つの画像Ｇ１，Ｇ２を切り替え表示すれば、モニタ５の表示画面を有効に使用して２つの画像を表示することができる。
【０１０９】
次いで、デジタルカメラ１とプリンタとを有線または無線により接続して、デジタルカメラ１からプリンタに対してプリント出力を行う場合に行われる処理について説明する。図２３〜図２５はプリント出力時の処理を示すフローチャートである。なお、デジタルカメラ１とプリンタとは接続が確立されており、プリント枚数およびプリントサイズの設定もなされているものとする。デジタルカメラ１がプリント出力を行うプリントモードに設定され、画像のプリント出力の指示がなされることによりＣＰＵ４０が処理を開始し、出力設定の判定を行う（ステップＳＴ５１）。
【０１１０】
出力設定がモード１の場合には、プリント出力の指示がなされた画像の画像ファイルに、関連づけられたファイル名の画像ファイルが記録メディア３４に記録されているか否かを判定する（ステップＳＴ５２）。ステップＳＴ５２が肯定されると、プリント出力が指示された画像について関連されたファイル名を有する２つの画像ファイルＦ１，Ｆ２を記録メディア３４から読み出し（ステップＳＴ５３）、ステップＳＴ５７の処理に進む。
【０１１１】
ステップＳＴ５２が否定されると、プリント出力の指示がなされた画像の画像ファイル（Ｆ１またはＦ２）を記録メディア３４から読み出し（ステップＳＴ５４）、読み出した画像ファイルのタグに付与情報が記録されているか否かを判定する（ステップＳＴ５５）。ステップＳＴ５５が肯定されると、付与情報が写し込まれた第２の画像Ｇ２の画像ファイルＦ２を生成する（ステップＳＴ５６）。そして、２つの画像画像ファイルＦ１，Ｆ２をＩ／Ｆ３９からプリンタに出力し（ステップＳＴ５７）、処理を終了する。これにより、撮影者は何ら指示を行うことなく、付与情報が写し込まれていない第１の画像Ｇ１および写し込まれた第２の画像Ｇ２の２つの画像のプリントを得ることができる。
【０１１２】
なお、ステップＳＴ５５が否定されると、その画像ファイルは画像ファイルＦ１であることから、読み出した画像ファイルＦ１をＩ／Ｆ３９からプリンタに出力し（ステップＳＴ５８）、処理を終了する。
【０１１３】
一方、出力設定の情報がモード２の場合には、ＣＰＵ４０はプリント出力の指示がなされた画像ファイルに関連づけられたファイル名の画像ファイルが記録メディア３４に記録されているか否かを判定し（ステップＳＴ５９）、ステップＳＴ５９が肯定されると、プリント出力が指示された画像について関連されたファイル名を有する２つの画像ファイルＦ１，Ｆ２のうち、第２の画像ファイルＦ２のみを記録メディア３４から読み出し（ステップＳＴ６０）、ステップＳＴ６４の処理に進む。
【０１１４】
ステップＳＴ５９が否定されると、プリント出力の指示がなされた画像の画像ファイル（Ｆ１またはＦ２）を記録メディア３４から読み出し（ステップＳＴ６１）、読み出した画像ファイルのタグに付与情報が記録されているか否かを判定する（ステップＳＴ６２）。ステップＳＴ６２が肯定されると、付与情報が写し込まれた第２の画像Ｇ２の画像ファイルＦ２を生成する（ステップＳＴ６３）。そして、付与情報が写し込まれた第２の画像Ｆ２の画像ファイルＦ２のみをＩ／Ｆ３９からプリンタに出力し（ステップＳＴ６４）、処理を終了する。これにより、撮影者は何ら指示を行うことなく、付与情報が写し込まれた画像のプリントを得ることができる。
【０１１５】
なお、ステップＳＴ６２が否定されると、その画像ファイルは画像ファイルＦ１であることから、読み出した画像ファイルＦ１をＩ／Ｆ３９からプリンタに出力し（ステップＳＴ６５）、処理を終了する。
【０１１６】
さらに、出力設定の情報がモード３の場合には、画像ファイルＦ１を記録メディアから読み出し（ステップＳＴ６６）、読み出した画像ファイルＦ１をＩ／Ｆ３９からプリンタに出力し（ステップＳＴ６７）、処理を終了する。
【０１１７】
なお、上記実施形態においては、タイマー３６により計時されている日付が、内部メモリ３５に登録された日付である場合に警告音を発しているが、警告音を発しないようにしてもよい。
【０１１８】
また、上記実施形態においては、被写体を登録し、登録した被写体がスルー画像に含まれる場合に、メッセージおよびフレームを写し込むようにしているが、被写体を登録することなく、日付のみに基づいてメッセージおよびフレームを写し込むようにしてもよい。
【０１１９】
以上、本発明の実施形態に係るデジタルカメラ１について説明したが、コンピュータを、上記の登録部３７および顔認識部３８に対応する手段として機能させ、図４，２１〜２５に示すような処理を行わせるプログラムも、本発明の実施形態の１つである。また、そのようなプログラムを記録したコンピュータ読取り可能な記録媒体も本発明の実施形態の１つである。
【図面の簡単な説明】
【０１２０】
【図１】本発明の実施形態による撮影装置を適用したデジタルカメラ１の外観を示す図（正面側）
【図２】本発明の実施形態による撮影装置を適用したデジタルカメラ１の外観を示す図（背面側）
【図３】本発明の実施形態による撮影装置を適用したデジタルカメラの内部構成を示す概略ブロック図
【図４】本実施形態において各種登録時に行われる処理を示すフローチャート
【図５】メニュー画面を示す図
【図６】日付登録画面を示す図
【図７】メッセージ登録画面を示す図
【図８】メッセージ入力画面を示す図
【図９】フレーム登録画面を示す図
【図１０】フレームをモニタに表示した状態を示す図
【図１１】被写体登録画面を示す図
【図１２】選択した顔を拡大した状態を示す図
【図１３】写し込みの設定画面を示す図
【図１４】表示設定画面を示す図
【図１５】メッセージおよびフレームが写し込まれた画像を示す図
【図１６】警告表示が写し込まれた画像を示す図
【図１７】メッセージおよびフレームが写し込まれた第１の画像およびメッセージおよびフレームが写し込まれていない第２の画像が並んで表示された状態を示す図
【図１８】メッセージおよびフレームが写し込まれた第１の画像およびメッセージおよびフレームが写し込まれていない第２の画像が切り替え表示される状態を示す図
【図１９】記録設定画面を示す図
【図２０】出力設定画面を示す図
【図２１】登録後の撮影時に行われる処理を示すフローチャート
【図２２】登録後の再生時に行われる処理を示すフローチャート
【図２３】登録後の出力時に行われる処理を示すフローチャート（その１）
【図２４】登録後の出力時に行われる処理を示すフローチャート（その２）
【図２５】登録後の出力時に行われる処理を示すフローチャート（その３）
【符号の説明】
【０１２１】
１    デジタルカメラ
５    モニタ
１０    撮像部
２２    スピーカー
３６    タイマ−
３７    登録部
３８    顔認識部
３９    インターフェース
【図１】
2009303110.tif 000003
【図２】
2009303110.tif 000004
【図３】
2009303110.tif 000005
【図４】
2009303110.tif 000006
【図５】
2009303110.tif 000007
【図６】
2009303110.tif 000008
【図７】
2009303110.tif 000009
【図８】
2009303110.tif 000010
【図９】
2009303110.tif 000011
【図１０】
2009303110.tif 000012
【図１１】
2009303110.tif 000013
【図１２】
2009303110.tif 000014
【図１３】
2009303110.tif 000015
【図１４】
2009303110.tif 000016
【図１５】
2009303110.tif 000017
【図１６】
2009303110.tif 000018
【図１７】
2009303110.tif 000019
【図１８】
2009303110.tif 000020
【図１９】
2009303110.tif 000021
【図２０】
2009303110.tif 000022
【図２１】
2009303110.tif 000023
【図２２】
2009303110.tif 000024
【図２３】
2009303110.tif 000025
【図２４】
2009303110.tif 000026
【図２５】
2009303110.tif 000027